(57)【要約】      （修正有）【課題】介助者にとって介助する際の利便性及び効率が向上される担架であり、高齢者や身体障害者等、特に自力で起き上がることができない被介助者を寝たまま入浴させる際に、そのまま浴槽に浸ける用途で使用される器具である。【解決手段】担架本体２と、前記担架本体２の側部に配される第１のフェンス８と、第１のフェンス８の内側に配される第２のフェンス９とを備え、第２のフェンス９は一方向への移動により閉状態を解除することができる。従って被介助者を介助する際（担架本体２に対する乗降や被介助者の洗身の際）に第２のフェンス９を容易に開状態とすることができるので介助者にとって手間とはならない。また、被介助者の入浴の際には第１のフェンス８と第２のフェンス９が担架本体２の外側、内側に配されて二重フェンスを構成するので被介助者の安全性が確保される。【選択図】図１
2015128523.tif 000002
【特許請求の範囲】
【請求項１】
担架本体と、
前記担架本体の側部に配される第１のフェンスと、
第１のフェンスの内側に配される第２のフェンスと、
を備え、
第２のフェンスは一方向への移動により前記担架本体の側方を閉鎖する閉状態が解除される担架。
【請求項２】
前記担架本体は角度調整可能な複数の部位から構成され、前記担架本体の下部にはベース部材が配され、第１のフェンスは前記ベース部材の側部に設けられる請求項１に記載の担架。
【請求項３】
前記複数の部位は、上肢部と胴体部と下肢部とを含み、第２のフェンスは少なくとも前記上肢部又は前記胴体部の側部に設けられる請求項２に記載の担架。
【請求項４】
第２のフェンスは把持部を有し、前記把持部の前記担架本体に対する高さは前記担架本体に横臥又は側臥する被介助者の目の高さと略同じ高さに設定される請求項１〜請求項３のいずれか１項に記載の担架。
【請求項５】
第１のフェンスは一方向への移動により前記担架本体の側方を閉鎖する閉状態が解除され、第１のフェンスの閉状態を解除するための方向と、第２のフェンスの閉状態を解除するための方向とが異なる方向である請求項１〜請求項４のいずれか１項に記載の担架。
【発明の詳細な説明】
【技術分野】
【０００１】
本発明は、担架に関するものである。
【背景技術】
【０００２】
従来、介助用担架においては、担架上に載せられた高齢者や身体障害者等の被介助者の転落を抑制するため、担架の両側にサイドフェンスが設けられる。
【０００３】
例えば、特許文献１には、担架本体の両側において上肢用と下肢用それぞれのサイドフェンスが設けられた入浴用担架が開示されている。そして、上肢用サイドフェンスと下肢用サイドフェンスのそれぞれについて二重ロック機構が設けられている。二重ロック機構とは、サイドフェンスをロックするための第１のロック機構に加え、第１のロック機構をロックするための第２のロック機構を更に備えたものである。
【先行技術文献】
【特許文献】
【０００４】
【特許文献１】特開２００６−３４４０６号公報
【発明の概要】
【発明が解決しようとする課題】
【０００５】
上記特許文献１の入浴用担架は、担架上の被介助者が誤ってサイドフェンスのロックを解除してしまうことを抑制する点で有効なものであった。しかしながら、介助者は、被介助者を搬送用の担架や車椅子から上記特許文献１の入浴用担架に移乗させる、またはその逆の際に第２のロック機構を解除しなければ第１のロック機構を解除することができない。つまり容易且つ迅速にサイドフェンスのロックを解除することができず、介助者にとって面倒で効率が低くなるという問題が生ずる。
【０００６】
本発明は上述した問題点に鑑み、介助者にとって介助する際の利便性及び効率が向上される担架を提供することを目的とする。
【課題を解決するための手段】
【０００７】
上記目的を達成するために本発明の担架は、担架本体と、前記担架本体の側部に配される第１のフェンスと、第１のフェンスの内側に配される第２のフェンスと、を備え、第２のフェンスは一方向への移動により前記担架本体の側方を閉鎖する閉状態が解除されることを特徴とする。
【０００８】
また、上記構成の担架において、前記担架本体は角度調整可能な複数の部位から構成され、前記担架本体の下部にはベース部材が配され、第１のフェンスは前記ベース部材の側部に設けられることが望ましい。
【０００９】
また、上記構成の担架において、前記複数の部位は、上肢部と胴体部と下肢部とを含み、第２のフェンスは少なくとも前記上肢部又は前記胴体部の側部に設けられることが望ましい。
【００１０】
また、上記構成の担架において、第２のフェンスは把持部を有し、前記把持部の前記担架本体に対する高さは前記担架本体に横臥又は側臥する被介助者の目の高さと略同じ高さに設定されることが望ましい。
【００１１】
また、上記構成の担架において、第１のフェンスは一方向への移動により前記担架本体の側方を閉鎖する閉状態が解除され、第１のフェンスの閉状態を解除するための方向と、第２のフェンスの閉状態を解除するための方向とが異なる方向であることが望ましい。
【発明の効果】
【００１２】
本発明によれば、第２のフェンスは一方向への移動により閉状態を解除することができる。従って被介助者を介助する際（担架本体に対する乗降や被介助者の洗身の際）に第２のフェンスを容易に開状態とすることができるので介助者にとって手間とはならない。また、被介助者の入浴の際には第１のフェンスと第２のフェンスが担架本体の外側、内側に配されて二重フェンスを構成するので被介助者の安全性が確保される。
【図面の簡単な説明】
【００１３】
【図１】一実施形態の担架の外観を示す正面図
【図２】一実施形態の担架の外観を示す右側面図
【図３】図２に示す右側面図において第１のフェンスを取り外した状態を示す図
【図４】第１のフェンスのロック機構を示す図
【図５】第２のフェンスのロック機構を示す第１の図
【図６】第２のフェンスのロック機構を示す第２の図
【図７】第２のフェンスのロック機構を示す第３の図
【図８】他の実施形態の開状態の第２のフェンスを示す概略図
【図９】他の実施形態の閉状態の第２のフェンスを示す概略図
【発明を実施するための形態】
【００１４】
以下に本発明の担架について図面を参照して説明する。なお、以下に示す実施形態は、本発明の技術的思想を具体化するために担架の一例を示すものであって、本発明の担架を以下の担架に特定することを意図するものではなく、特許請求の範囲に含まれるその他の実施形態の担架にも等しく適応し得るものである。
【００１５】
＜第１実施形態＞
図１、図２は夫々本実施形態の担架の外観を示す正面図及び右側面図である。図３は図２に示す右側面図において第１のフェンスを取り外した状態を示す図である。なお、図１〜図３の説明においては、図１の紙面に対向する観察者の上側を「上」、下側を「下」、左手側を「左」、右手側を「右」とし、また、図２の紙面に対向する観察者の左手側を「前」、右手側を「背」又は「後」として説明する。
【００１６】
本実施形態の担架は、高齢者や身体障害者等の被介助者を載せる器具であり、特に自力で起き上がることができない被介助者を寝たまま入浴させる際に、そのまま浴槽に浸ける用途で使用される器具である。しかしながら担架の用途は入浴用に限られるものではなく、例えば、入浴とは無関係に被介助者を搬送する用途で使用されるものであってもよいし、入浴用及び搬送用の両方の用途で使用されるものであってもよい。
【００１７】
本実施形態において担架１は担架本体２と担架本体２の下部に配されるベース部材３とを備える。担架本体２は被介助者の上肢が載置される上肢部、被介助者の胴体が載置される胴体部、被介助者の下肢が載置される下肢部から構成され、各部の表面にはマットが配される。なお、上肢部、胴体部、下肢部に配されるマットを夫々マット４ａ、４ｂ、４ｃと称する。上肢部、胴体部、下肢部の表面に柔軟性を有するマットが配されることでステンレス等からなる担架本体２に接触することにより被介助者が不快感を感じることを防いでいる。
【００１８】
本実施形態の担架は入浴時に使用されることを想定し、各マットは撥水性、保温性を備える素材により形成されることが望ましく、例えばエチレン酢酸ビニル共重合樹脂により成形される。また、担架本体２には複数の貫通孔（不図示）が設けられ、各マット４ａ〜４ｃにおいて担架本体２の各貫通孔に対応する位置に貫通孔４１（図１では図の簡略化のため複数の貫通孔のうち１個の貫通孔に対して符号４１を付している。）を形成することで、マット上の湯水を担架１の背面側に流すことができる。これによりマット上で溜まった湯水が冷えることにより被介助者が不快感を感じることを防いでいる。
【００１９】
担架本体２の上端部には被介助者の頭を載置するための枕部５が配される。枕部５は被介助者の身長等に応じて適切な位置にすることができるよう担架本体２に対して上下方向に位置調整可能に配される。なお、洗髪時の利便性を高めるために枕部５の担架本体２に対する高さが調整可能であることがより望ましい。また、枕部５は担架本体２に対して着脱可能であってもよい。
【００２０】
上肢部、胴体部、下肢部は夫々軸部（不図示）を介して連結され、上肢部は胴体部に対して回動可能であり、ベース部材３に対する上肢部の傾斜角度を数段階の角度（例えば５度と２５度）のうち所望の角度とすることができる。また、胴体部と下肢部の連結部分は前方に突出可能に構成され、平板状の形状と山型の形状との間で変形可能である。胴体部と下肢部とで山型の形状とすることで被介助者の膝を上げて足を曲げることができる。
【００２１】
担架本体２には担架本体２の右側部と左側部との間を跨って担架本体２の前方から被介助者の身体を担架本体２に押さえ付けて被介助者の身体の位置を固定するベルト６が配される。ベルト６は上肢部、胴体部、下肢部に夫々１個ずつ配される。
【００２２】
上肢部の両側部には先端部が内側に折れ曲がり、先端にゴム材が取り付けられるグリップ７が配される。仰臥位の被介助者はグリップ７を把持することで自身の姿勢を安定させることができ、また、介助者は必要に応じてグリップ７を把持して被介助者の介助を行う。
【００２３】
ベース部材３は担架本体２を背面側から支える。ベース部材３の両側部には第１のフェンス８が取り付けられる。第１のフェンス８は回転軸を介してベース部材３に取り付けられており、ベース部材３に対して回動可能に取り付けられる。より具体的に、第１のフェンス８はベース部材３に対して前方に垂直に起立して担架本体２の側部を閉鎖する位置（閉状態）と、自重によってベース部材３に対して後方に垂直に垂れ下がって担架本体２の側部を開放する位置（開状態）との間で回動可能であり、閉状態を維持するためのロック機構を備える。以下、図４を参照して第１のフェンス８のロック機構について説明する。
【００２４】
図４は第１のフェンス８のロック機構を示す図であり、図２に示す担架の右側面図において第１のフェンス８のロック機構部分を拡大した概略図である。ベース部材３の側端部には支持部材３１及び３２が立設される。支持部材３１の上端部と支持部材３２の上端部との間には回転軸３３が接合配置される。また、支持部材３１の上端部において支持部材３２と対向する面には後述する凹部３５ａに嵌合可能な凸部３４が形成される。
【００２５】
回転継手３５は第１のフェンス８に接合されており、また、貫通孔（不図示）が形成されて当該貫通孔に回転軸３３が挿通される。回転継手３５は回転軸３３に対して回動可能且つスライド可能であり、回転継手３５において支持部材３１と対向する面には凸部３４と嵌合可能な凹部３５ａが形成される。スライドは図４の紙面に対して左右にスライド可能であり、図４は回転継手３５を右にスライドした状態を示している。
【００２６】
支持部材３２の上端部には係合部３６が設けられ、また、回転継手３５の内部には係合部３７が設けられる。従って回転継手３５が図４に示すように右にスライドされている状態において係合部３６と係合部３７とが係合して、回転継手３５が回転軸３３に対して回転することを防いでいる。すなわち係合部３６と係合部３７とが、第１のフェンス８を閉状態で維持するロック機構を構成する。
【００２７】
この状態において第１のフェンス８を左方向にスライドすると、係合部３６と係合部３７の係合が外れ、凹部３５ａが凸部３４に嵌合する。その状態において第１のフェンス８を閉状態で維持するロック機構は働かず、回転継手３５は回転軸３３に対して回動され、第１のフェンス８が開状態となる。
【００２８】
すなわち第１のフェンス８を閉状態に維持するロックは、第１のフェンス８を一方向に移動することで解除可能であり、ロックを解除することにより第１のフェンス８を開状態とすることができる。第１のフェンス８を再び閉状態とする場合には、第１のフェンス８を重力に抗して持ち上げた後に第１のフェンス８を右方向にスライドし、係合部３６と係合部３７とを係合すればよい。
【００２９】
なお、本実施形態においては第１のフェンス８を左右（図１〜図３の上下）方向にスライドすることでロック解除可能としたがスライド方向はこれに限られるものではなく、例えば、上下方向（図１〜図３の前後）方向にスライドすることでロック解除可能であることとしてもよい。
【００３０】
上述したように第１のフェンス８は担架本体２から独立したベース部材３に設けられる。従って、担架本体２の上肢部、胴体部、下肢部の角度調整が第１のフェンス８に与える影響が最小限に抑えられ、担架本体の長手方向に長いフェンスとすることができる。
【００３１】
図１〜図３に戻って、担架本体２の両側部には第２のフェンス９が設けられる。第２のフェンス９は第１のフェンス８が閉状態において第１のフェンス８の内側に配され、担架本体２の側部を閉鎖するフェンスである。本実施形態において第２のフェンス９は上肢部と胴体部の側部に夫々配される。第２のフェンス９の数は特に限られるものではないが、第２のフェンス９は第１のフェンス８と異なり担架本体２に設けられて、上肢部、胴体部、下肢部の角度調整の影響を受けるため、各部に跨る長いフェンスとすることは困難であり、各部の長さ方向の長さに収まるフェンスとされる。
【００３２】
担架本体２に被介助者が横臥する際に担架本体２に対する身体の位置がずれやすいのは上肢や胴部である。従って、第２のフェンス９は少なくとも上肢部又は胴体部に設けられることで被介助者の安全がより確実に確保される。本実施形態においては上肢部及び胴体部に第２のフェンス９を設けることでより安全性の高い担架１としている。
【００３３】
第２のフェンス９は第１のフェンス８と同様に一方向への移動により担架本体２の側部を閉鎖する閉状態を解除可能である。以下、図５を参照して第２のフェンス９のロック機構について説明する。
【００３４】
図５は第２のフェンス９のロック機構を示す第１の図であり、図２に示す担架の右側面図において第２のフェンス９のロック機構部分を拡大した概略図である。
【００３５】
第２のフェンス９は側面視で略Ｕ字状のパイプであり、担架本体２の側部には第２のフェンス９が収容可能な収容部２ａが形成される。第２のフェンス９の一端部には貫通孔９ａが形成され、また、収容部２ａにおいて第２のフェンス９の両端部が挿入される凹部２ｂのうち貫通孔９ａに対応する凹部２ｂにはプランジャ１０が設けられる。プランジャ１０は凹部２ｂ内において第２のフェンス９に向けて付勢されて貫通孔９ａに挿入される位置と、貫通孔９ａに挿入されない位置との間で進退可能に設けられる。
【００３６】
貫通孔９ａにプランジャ１０が挿入されると第２のフェンス９は担架本体２の側部を閉鎖する閉状態になり、貫通孔９ａからプランジャ１０が外れると第２のフェンス９は収容部２ａに収容されて、担架本体２の側部を開放する開状態になる。図５において第２のフェンス９は閉状態であり、プランジャ１０を付勢に抗して一方向に引くことでプランジャ１０が貫通孔９ａから外れて第２のフェンス９が収容部２ａ内に収容される。一方、第２のフェンス９を開状態から閉状態にする場合には、第２のフェンス９を把持して引き上げることでプランジャ１０が貫通孔９ａに挿入されてその位置でロックされる。
【００３７】
本実施形態において第２のフェンス９は担架本体２に対して収容可能な収容型（埋め込み型）であるが、収容方式は上述したものに限られるものではない。例えば第２のフェンス９を一方向に移動することで閉状態を解除可能なものであってもよく、具体的には、第２のフェンス９が閉状態である場合に第２のフェンス９を持ち上げる（図１〜図３の前方向に移動する）ことでロックが解除されて収容位置（開状態）に戻すことが可能なものであってもよい。図６は第２のフェンス９のロック機構を示す第２の図である。
【００３８】
第２のフェンス９の外側壁には第２のフェンス９の移動に伴って移動する回動部材９１が配される。回動部材９１は回動軸９２を介して第２のフェンス９に配されており、第２のフェンス９に対して回動可能に配される。回動部材９１は上部及び下部が内側に山形に凹んだ形状を有する（以下、回動部材９１において山形に凹んだ部分を「係合部」と称する。）。
【００３９】
凹部２ｂにはストッパー２１が設けられ、ストッパー２１は第２のフェンス９の上方に所定の長さＬ移動した際に回動部材９１が衝突する位置に設けられる。また、凹部２ｂには回動部材９１と係合して第２のフェンス９の位置をロック可能な係合孔２２が設けられる。以下、第２のフェンス９を所定位置でロックする過程を説明する。図６（ａ）は第２のフェンス９が収容位置ある状態（開状態）を示す図である。
【００４０】
図６（ａ）に示す状態から第２のフェンス９を持ち上げると、第２のフェンス９の両端部は凹部２ｂ内を上方に移動する。当該移動に伴って回動部材９１も上方に移動するが、所定の長さＬ上方に移動すると回動部材９１の左上部がストッパー２１に衝突する。一方、ストッパー２１は回動部材９１の右上部はどの部材とも衝突していないため、回動部材９１は反時計回りに回転する。そして、回動部材９１の上部の係合部がストッパー２１に係合し、回動部材９１の回動が止まり図６（ｂ）に示す状態となる。
【００４１】
図６（ａ）から図６（ｂ）に至る回動部材９１の回転により、回動部材９１の右下部は係合孔２２から外方に突出しており、図６（ｂ）に示す状態で第２のフェンス９を下ろす（第２のフェンス９から手を離す）と、回動部材９１の右下部が係合孔２２の下端部と衝突する。そして、一方、回動部材９１の左下部はどの部材とも衝突していないため、回動部材９１は反時計回りに回転し、回動部材９１の左下部が凹部２ｂの内壁面に衝突することで、回動部材９１の回動が止まり図６（ｃ）に示す状態となる。図６（ｃ）に示す状態が第２のフェンス９が所定位置でロックされる、すなわち閉状態である。
【００４２】
図６（ｃ）に示す状態から第２のフェンス９を持ち上げると、回動部材９１の右上部（図６(ａ)に示す状態おける右上部であって、図６（ｃ）では左上部）がストッパー２１に衝突し図６（ｄ）に示す状態となる。これにより、第２のフェンス９の上方への移動が停止し、第２のフェンス９を下げると、回動部材９１の左下部（図６(ａ)に示す状態おける左下部であって、図６（ｄ）では右下部）が係合孔２２の下端部と衝突する。そして、回動部材９１が反時計回りに回転して図６（ａ）に示す状態、すなわち第２のフェンス９が開状態となる。
【００４３】
また、本実施形態において第２のフェンス９は被介助者及び介助者が把持することが可能な手すりとしても使用可能である。すなわち、第２のフェンス９において中央部分は把持部として使用可能であり、把持部の担架本体２に対する高さは担架本体２に横臥又は側臥する被介助者の目の高さと略同じ高さに設定される。
【００４４】
本実施形態において、第１のフェンス８及び第２のフェンス９はそれ自体又はロック機構の一部を構成する部品を一方向に移動することで、各フェンスの閉状態を解除可能とした。当該構成においては、第１のフェンス８の閉状態を解除するための移動方向と第２のフェンス９の閉状態を解除するための移動方向が同方向であると、被介助者が同一の動作を各フェンスに対して行った際に、両方のフェンスが開状態になる可能性がある。従って、各フェンスの閉状態を解除するための移動方向は異なる方向であることが望ましい。上記ロック機構を例にすると、第１のフェンス８を左方向（図１〜図３の下方向）に移動することにより第１のフェンス８の閉状態が解除されるものであるときに、第２のフェンス９は上方向（図１〜図３の前方向）に移動することにより閉状態が解除されるものであることが望ましい。
【００４５】
本実施形態によれば、第２のフェンス９は一方向への移動により閉状態を解除することができる。従って被介助者を介助する際（担架本体に対する乗降や被介助者の洗身の際）に第２のフェンス９を容易に開状態とすることができるので介助者にとって手間とはならない。また、被介助者の入浴の際には第１のフェンス８と第２のフェンス９が担架本体２の外側、内側に配されて二重フェンスを構成するので被介助者の安全性が確保される。
【００４６】
また、第１のフェンス８は担架本体２から独立したベース部材３に設けられる。従って、担架本体２が備える複数の部位（上肢部、胴体部、下肢部）の角度調整が、第１のフェンス８に与える影響が最小限に抑えられるため第２のフェンス９に比べて担架本体の長手方向に長いフェンスとすることができる。
【００４７】
また、担架本体２に被介助者が横臥する際に担架本体２に対する身体の位置がずれやすいのは上肢や胴部である。従って、担架本体２が上肢部、胴体部、下肢部とを含む構成において第２のフェンス９は少なくとも上肢部又は胴体部に設けられることで被介助者の安全がより確実に確保される。
【００４８】
また、第２のフェンス９が把持部を備え、その高さを担架本体に横臥又は側臥する被介助者の高さとすることで、洗身中や入浴中（浴槽に浸かっている間）に被介助者が把持部を把持することで姿勢を保つことができる。従って、被介助者自身が姿勢を維持したり、水没を防ぐなどの危険回避行動をとることができる。
【００４９】
また、第１のフェンス８も第２のフェンス９も一方向への移動により閉状態が解除可能であるため介助者は容易に各フェンスの閉状態を解除することができる。一方で、各フェンスを解除するための移動方向が異なる方向であることにより、被介助者が両フェンスに対して同一の動作を実行することにより両フェンスの閉状態が解除されることを防ぐことができる。従って被介助者にとっては閉状態を解除しにくく、介助者にとって閉状態が解除しやすいフェンスを備える担架となる。
【００５０】
＜第２実施形態＞
第１実施形態において第２のフェンス９は担架本体２に対して収容可能な収容型（埋め込み型）であったがこれに限られるものではない。本実施形態では、第２のフェンス９を担架本体２に対して着脱可能な着脱型のフェンスとする。
【００５１】
なお、本実施形態の第２のフェンス９も第１実施形態の第２のフェンス９と同様に一方向への移動により担架本体２の側部を閉鎖する閉状態を解除可能である。以下、図７を参照して第２のフェンス９のロック機構について説明する。図７は第２のフェンス９のロック機構を示す第３の図である。
【００５２】
第２のフェンス９は側面視で略Ｕ字状のパイプであり、担架本体２の側部には第２のフェンス９の両端部が挿入される凹部２ｂが形成される。凹部２ｂにはボールプランジャＢＰ（付勢部材の一例）が配されており、凹部２ｂの内周壁に配設されて内方に向かって突出される。第２のフェンス９の両端部が凹部２ｂに挿入されると、ボールプランジャＢＰは第２のフェンス９の両端部を夫々凹部２ｂの内周壁に押圧する。
【００５３】
第２のフェンス９の両端部が凹部２ｂに挿入されると第２のフェンス９は担架本体２の側部を閉鎖する閉状態になり、第２のフェンス９の両端部を凹部２ｂから引き抜くと担架本体２の側部を開放する開状態になる。図７において第２のフェンス９は閉状態であり、第２のフェンス９が閉状態において、第２のフェンス９の両端部はボールプランジャＢＰにより押圧されるので、第２のフェンス９が閉状態のときにおける第２のフェンス９の振動が抑制され、また、第２のフェンス９を凹部２ｂ内で保持することができる。
【００５４】
また、ボールプランジャＢＰにより第２のフェンス９を凹部２ｂ内で保持する力は、引き抜き可能な程度に設定され、介助者は一定の力以上の力で第２のフェンス９を凹部２ｂから引き抜くことで第２のフェンス９を開状態にすることができる。
【００５５】
本実施形態によれば、第１実施形態と同様の効果を奏する。
【００５６】
＜第３実施形態＞
本実施形態では、第２のフェンス９を担架本体２に対して折畳可能な折畳型のフェンスとする。
【００５７】
なお、本実施形態の第２のフェンス９も第１実施形態の第２のフェンス９と同様に一方向への移動により担架本体２の側部を閉鎖する閉状態を解除可能である。以下、図８及び図９を参照して第２のフェンス９のロック機構について説明する。図８は本実施形態において開状態の第２のフェンス９を示す概略図である。図９は本実施形態において閉状態の第２のフェンス９を示す概略図である。
【００５８】
本実施形態において第２のフェンス９はラチェット機構により開状態と閉状態との間で折畳可能に構成される。図８に示すように第２のフェンス９は倒されることによって担架本体２の表面と略面一となって、担架本体２の側部を開放する。そして、図８に示す状態から第２のフェンス９を内側に起こすことで図９に示すように担架本体２の側部を閉鎖する。
【００５９】
ラチェット機構としては、開状態の第２のフェンス９を内側に向かって起こすことが可能であり、起こした位置でロックされ（閉状態が維持され）、且つ、所定の解除操作（例えば、第２のフェンス９をロック位置からさらに内側に倒す操作）によって外側に向かって倒すことが可能になる（開状態にすることができる）公知のラチェット機構を用いることとすればよい。
【００６０】
なお、本実施形態では第２のフェンス９を開状態と閉状態との間で折畳可能に構成することとしたが、開状態と閉状態の間で数段階に設定された角度のうち所望の角度を選択してロック可能な構成としてもよいし、無段階に傾斜角度を調整可能な構成としてもよい。
【００６１】
また、第２のフェンス９を開状態と閉状態との間で折畳可能に構成する方法はラチェット機構に限られるものではない。例えば、トルクの必要な蝶番を使用することとしてもよい。
【００６２】
本実施形態によれば、第１実施形態と同様の効果を奏する。
【産業上の利用可能性】
【００６３】
本発明は、担架に利用できる。
【符号の説明】
【００６４】
１    担架
２    担架本体
３    ベース部材
５    枕部
６    ベルト
７    グリップ
８    第１のフェンス
９    第２のフェンス
【図１】
2015128523.tif 000003
【図２】
2015128523.tif 000004
【図３】
2015128523.tif 000005
【図４】
2015128523.tif 000006
【図５】
2015128523.tif 000007
【図６】
2015128523.tif 000008
【図７】
2015128523.tif 000009
【図８】
2015128523.tif 000010
【図９】
2015128523.tif 000011